(57)【要約】【課題】対向基板を省略したＯＬＥＤ表示パネルであっても、高周波ノイズをシールドすることができるとともに、静電破壊を防止することができるＯＬＥＤ表示パネルを、提供する。【解決手段】  基板１１上に形成されたＴＦＴ層１２及びＯＬＥＤ層１５を含むＯＬＥＤ発光素子は、絶縁材料からなる封止層１８に覆われている。この封止層１８の上面には、透明導電膜１９が形成されている。このようにして形成されたＯＬＥＤ表示パネル１００全体が、金属製の箱型のモジュール筐体２０に収容されている。そして、透明導電膜１９とモジュール筐体２０の縁との間に、その全周にわたって、導電性テープからなる導通部２１が貼り付けられている。【選択図】図３
2015011761.tif 000002
【特許請求の範囲】
【請求項１】
有機ＥＬ層において正孔及び電子が再結合することによって発光するＯＬＥＤ発光素子を備えたＯＬＥＤ表示パネルであって、
絶縁材料からなる基板と、
前記基板の上面における外周縁を除く領域に形成された複数の前記ＯＬＥＤ発光素子と、
前記複数のＯＬＥＤ発光素子の全体及び前記基板の上面を覆うとともに前記基板の外縁にまで及んでいる絶縁物からなる封止層と、
前記封止層の上面の全体に形成された透明導電膜と、
前記基板の底面と前記基板及び封止層の側面を覆うとともに前記透明導電膜の外縁に接触した導電材料からなる筐体と
を備えたことを特徴とするＯＬＥＤ表示パネル。
【請求項２】
前記透明導電膜の外縁と前記筐体の縁と間に架け渡された導通部材を
更に備えたことを特徴とする請求項１記載のＯＬＥＤ表示パネル。
【請求項３】
前記導通部材が、前記透明導電膜の外縁及び前記筐体の縁の全周にわたって架け渡されている
ことを特徴とする請求項２記載のＯＬＥＤ表示パネル。
【請求項４】
前記導通部材は導電材料からなるテープである
ことを特徴とする請求項３記載のＯＬＥＤ表示パネル。
【請求項５】
前記透明導電膜上に、透明接着剤層を介して偏光板２３が貼り付けられている
ことを特徴とする請求項１記載のＯＬＥＤ表示パネル。
【請求項６】
前記筐体は、金属製の箱である
ことを特徴とする請求項１記載のＯＬＥＤ表示パネル。
【発明の詳細な説明】
【技術分野】
【０００１】
本発明は、ＯＬＥＤ（organic light-emitting diode：有機発光ダイオード）表示パネルに関する。
【背景技術】
【０００２】
近年、ディスプレイパネルの薄型化や高輝度化や高速化を目的として、ＯＬＥＤ表示パネルの開発が進められている。このＯＬＥＤ表示パネルは、各画素が３原色（赤,緑,青）の光を夫々発光する少なくとも３個の有機化合物発光ダイオード（ＯＬＥＤ発光素子）から構成された表示パネルであり、機械的な動作がない為に反応速度が速く、各画素自体が発光する為に高輝度表示が可能になるとともに、バックライトが不要となる為に薄型化が可能になるので、次世代の表示パネルとして期待されている。
【０００３】
かかるＯＬＥＤ表示パネルは、一枚の基板（ガラス基板）の上に、表示すべき映像の各画素に対応した多数のＯＬＥＤ発光素子をマトリクス状に形成するともに、その上に、外光の入射を防止する透明な対向基板を張り合わせた構造を有している。
【０００４】
具体的には、図５に示すように、ＯＬＥＤ発光素子は、大きく分けて、駆動回路層３４及びＯＬＥＤ層３５から構成される。駆動回路層３４は、ガラス基板３１の上面上に形成された第１の絶縁層３６，当該絶縁層３６上にパターニングされて形成された電界効果トランジスタを内包したＴＦＴ層３８，当該ＴＦＴ層３８に内包された電界効果トランジスタのドレインに導通した陽極３３を、主要な構成要素としている。
【０００５】
ＯＬＥＤ層３５は、陽極３３上に、当該陽極３３と相似形を有するように形成された有機ＥＬ層２５，当該有機ＥＬ層２５を隣接する他の画素の有機ＥＬ層２５から分離するために形成されたリブ層２４，これら有機ＥＬ層２５及びリブ層２４の上面に形成された透明陰極２６，及び、当該透明陰極２６を覆うように形成された封止層２７を、主要な構成要素としている。
【０００６】
ＳＯＣ部材２９は、光硬化性のアクリル系樹脂から形成される枠部材である。このＳＯＣ部材２９は、ガラス基板３１の上面（ＴＦＴ層１８の上面）と対向基板３２の下面との間の距離を一定に保つギャップスペーサーの機能を果たす。このようにしてガラス基板３１の上面（ＴＦＴ層３８の上面）と対向基板３２の下面との間に確保された空間には、エポキシ樹脂からなる透明な充填材２８が充填されている。
【０００７】
さらに、対向基板２の表面上には、操作者の指のような導電体やタッチペンのような硬質体が接触した場合に、その接触位置に応じた信号を出力するポインティングデバイスとしてのタッチパネルが、形成されている。
【先行技術文献】
【特許文献】
【０００８】
【特許文献１】特開２００９−３００２９号公報
【発明の開示】
【発明が解決しようとする課題】
【０００９】
しかしながら、操作者の指やタッチペンがタッチパネルに触れると、誘電分極に起因した静電気が生じ、ＯＬＥＤ表示パネル内に当該外部からの静電気に因るチャージアップが生じ得、その結果、ＯＬＥＤ発光素子が破壊（静電破壊）されてしまうという問題が生じる。
【００１０】
また、ＯＬＥＤ発光素子を駆動する信号は矩形波であるので高周波成分を含んでおり、この高周波成分が電磁誘導を介してタッチパネルに入り込み、高周波ノイズとしてタッチパネルの出力信号に重畳されてしまうという問題も生じる。
【００１１】
なお、ＬＣＤ（Liquid Crystal Display）では、カラーフィルター基板における液晶層とは反対側の面にＩＴＯ（Indium Tin Oxide）の薄膜層を形成して、ＴＦＴ（Thin Film Transistor）基板の接地電位に接続することにより、上述したような静電気や高周波ノイズをシールドすることが、実用されていた。そのため、かかるシールド技術をＯＬＥＤ表示パネルに流用することも考えられるが、ＯＬＥＤ表示パネルを薄型化したりフレキシブル化しようとした場合には、対向基板は省略せざるを得ないので、かかるシールド技術を流用することができない。
【００１２】
以上に鑑み、本発明の課題は、対向基板を省略したＯＬＥＤ表示パネルであっても、高周波ノイズをシールドすることができるとともに、静電破壊を防止することができるＯＬＥＤ表示パネルを、提供することである。
【課題を解決するための手段】
【００１３】
本発明によるＯＬＥＤ表示パネルは、有機ＥＬ層において正孔及び電子が再結合することによって発光するＯＬＥＤ発光素子を備えたＯＬＥＤ表示パネルであって、絶縁材料からなる基板と、前記基板の上面における外周縁を除く領域に形成された複数の前記ＯＬＥＤ発光素子と、前記複数のＯＬＥＤ発光素子の全体及び前記基板の上面を覆うとともに前記基板の外縁にまで及んでいる絶縁物からなる封止層と、前記封止層の上面の全体に形成された透明導電膜と、前記基板の底面と前記基板及び封止層の側面を覆うとともに前記透明導電膜の外縁に接触した導電材料からなる筐体とを備えたことを特徴とする。
【発明の効果】
【００１４】
以上のように構成された本発明によるＯＬＥＤ表示パネルによれば、対向基板を省略しているにもかかわらず、高周波ノイズをシールドすることができるとともに、静電破壊を防止することができる。
【図面の簡単な説明】
【００１５】
【図１】実施形態１によるＯＬＥＤ表示パネルの平面図
【図２】ＯＬＥＤ表示パネルの概略縦断面図
【図３】ＯＬＥＤ表示パネルの縁部近傍の拡大縦断面図
【図４】第２の実施形態によるＯＬＥＤ表示パネルの縁部近傍の拡大縦断面図
【図５】従来のＯＬＥＤ表示パネルの縦断面図
【発明を実施するための最良の形態】
【００１６】
以下、図面に基づいて、本発明によるＯＬＥＤ表示パネル１００の実施するための最良の形態を説明する。下記の各実施形態は、いずれも、薄型化を実現するとともにそれ自体にある程度の柔軟性を持たせるために対向基板を省略したＯＬＥＤ表示パネル１００に関するものである。そして、下記の各実施形態では、ＯＬＥＤ発光素子のＴＦＴ駆動回路や有機発光層において発生した高周波ノイズがＯＬＥＤ表示パネル１００の外部に漏えいして、別途備えられるタッチパネル等の入力装置を誤動作させることを防止するとともに、外部にて発生した静電気（電界）がＯＬＥＤ表示パネル１００内に分極電荷（チャージアップ）を生じさせてＯＬＥＤ発光素子を破壊（静電破壊）することを防止するため、ＯＬＥＤ表示パネル１００全体を一連の導体によって封じることによって静電シールド効果を生じさせている。
（実施形態１）
【００１７】
図１は、本実施形態によるＯＬＥＤ表示パネル１００の平面図であり、図２はその縦断面図であり、図３は、縁近傍における部分拡大縦断面である。なお図３における一点鎖線は、一点鎖線の左側にも構造が連続しているが図示を省略したことを示している。
【００１８】
図１に示されるように、平面視において、ＯＬＥＤ表示パネル１００の中央には、三原色（赤、緑、青）を夫々発することにより一つの画素をカラー表示する３個一組のＯＬＥＤ発光素子がマトリックス状に多数組配置され、これらＯＬＥＤ発光素子が選択的且つ発光量を調整して駆動されることによって画像が表示される表示エリア１が、形成されている。また、ＯＬＥＤ表示パネル１００の上面における表示エリア１の周辺領域の三か所には、表示エリア１内の各ＯＥＬＤ表示素子を選択的且つ発光量を調整して駆動するための駆動回路（Ｘドライバ，Ｙドライバ，シフトレジスタ等）３，４が、設けられている。これらの構成により、表示エリア１は、フルカラー画像を表示することができるのである。さらに、ＯＬＥＤ表示パネル１００における駆動回路３に近接した縁の近傍には、各駆動回路３，４に導通してこれら各駆動回路３，４に対して電源電圧や駆動信号を供給するともにグランドへの接地を行うためのコネクタ２が縞状の金属薄膜によって形成されている。
【００１９】
図２及び図３に示されるように、ＯＬＥＤ表示パネル１００は、基板１１をベースとして、その表面上に薄膜が積層されることによって製造されている。この基板１１の材料としては、ＯＬＥＤ表示パネル１００全体に柔軟性を持たせるために、絶縁材料である合成樹脂が用いられている。
【００２０】
この基板１１の表面上における表示エリア１に相当する箇所には、個々のＯＬＥＤ発光素子毎にゲート、ソース及びドレインの各金属配線及び半導体からなる電界効果トランジスタを内包したＴＦＴ層１２が、形成されている。このＴＦＴ層１２の上には、各電界効果トランジスタを絶縁するとともに、ＴＦＴ層１２の上面の凹凸を埋めて平坦化させる絶縁材料からなる平坦化層１３が、形成されている。この平坦化層１３の上面における各ＯＬＥＤ発光素子の形成位置には、それぞれ、当該ＯＬＥＤ発光素子の形状通りに形成された陽極１４が形成されている。各陽極１４は、平坦化層１３を上下に貫通するコンタクトホール１３ａを通じて、それぞれのＯＬＥＤ発光素子用の電界効果トランジスタのドレイン配線に導通している。
【００２１】
各陽極１４上には、これと相似形に形成されたＯＬＥＤ層１５が形成されている。ＯＬＥＤ層１５は、具体的には、陽極１４側から順番に、正孔注入層，正孔輸送層，有機ＥＬ（Electro Luminescence）発光層，電子輸送層，電子注入層を積層させた構造を有している。ＯＬＥＤ層１５を構成する有機ＥＬ発光層の材料としては、上述したように、赤，緑及び青の３色の何れかを発光するものが採用されている。
【００２２】
なお、各ＯＬＥＤ発光素子のＯＬＥＤ層１５同士は、絶縁材料からなるリブ層１６によって、相互に区画されている。そして、全てのＯＬＥＤ発光素子のＯＬＥＤ層１５（電子注入層）の表面に接触して、これらＯＬＥＤ層１５（電子注入層）をリブ層１６と一緒に覆うように、透明な共通陰極１７が形成されている。なお、上述したＴＦＴ層１２、平坦化層１３、陽極１４、ＯＬＥＤ層１５及びリブ層１６は、基板１１の外縁までは形成されていないので、共通陰極１７の外縁は、基板１１の表面に達しているが、基板１１の外縁には達していない。
【００２３】
当該共通陰極１７の表面と、基板１１の表面における当該共通陰極１７に覆われていない部分の全域は、水分の遮断を目的とした封止層１８によって覆われている。封止層１８の材料としては、例えば、ＳｉＮが用いられる。
【００２４】
さらに、封止層１８の表面には、その全面にわたって、ＩＴＯ（Indium Tin Oxide）やＩＺＯ（Indium Zinc Oxide）のような透明導電材料からなる透明導電膜層１９が形成され、これがＯＬＥＤ表示パネル１００の最外層をなしている。
【００２５】
なお、表示エリア外において、基板１１の上面の上には、封止層１８及び透明導電層１９が形成されており、これら封止層１８及び透明導電層１９は、基板１１の外縁にまで及んでいる。ただし、図１に示すように、上述したコネクタ２の形成箇所においては、外部から駆動電力、駆動信号及びアース電位を供給するフレキシブルプリント回路基板（ＦＰＣ基板）７をコネクタ２に接続する都合上、封止層１８及び透明導電層１９は除去されている。
【００２６】
一方、以上のように構成されるＯＬＥＤ表示パネル１００は、平面矩形且つ上面が開放した箱型形状を有する金属（導電材料）製のモジュール筐体２０に収容されている。すなわち、ＯＬＥＤ表示パネル１００を構成する基板１１の底面と基板１１及び封止層１８の側面とは、モジュール筐体２２によって覆われている。なお、このモジュール筐体２０の内部空間の深さは、基板１１の外縁におけるＯＬＥＤ表示パネル１００の厚さ（基板１１の底面から透明導電膜層１９の表面までの厚さ）と一致しているので、モジュール筐体２０の縁と透明導電膜層１９の表面とは面一になっており、両者間は導通している。かかるモジュール筐体２０と透明導電膜層１９との導通を確実にして、閉じた導体を完成するために、モジュール筐体２０の側面及び上面と、透明導電膜層１９との間には、導電性材料からなる導通部２１が架け渡されており、両者との間で夫々導通している。この導通部２１は、具体的には、導電性樹脂又は導電性を有するテープである。
【００２７】
モジュール筐体２０は一定電位（例えば、アース電位又はバッテリーの接地電位）に繋がれているので、モジュール筐体２０とこれに導通する透明導電膜１９とは、その内外の電界を遮断する静電シールドとして機能する。よって、モジュール筐体２０及び透明導電膜１９によって封止されたＯＬＥＤ表示パネル１００の各ＯＬＥＤ素子が発生した高周波ノイズは、モジュール筐体２０及び透明導電膜１９を超えて電磁誘導を生じさせることがないので、モジュール筐体２０及び透明導電膜１９の外部に設置された機器に影響を生じさせることがない。例えば、透明導電膜１９に重ねてタッチパネルが設置された場合であっても、各ＯＬＥＤ素子が発生した高周波ノイズが当該タッチパネルを誤動作させることはない。また、モジュール筐体２０及び透明導電膜１９の外部に発生した静電気が、モジュール筐体２０及び透明導電膜１９内に分極電荷（チャージアップ）を生じさせることはないので、ＯＬＥＤ表示パネル１００の各ＯＬＥＤ素子が静電破壊されることもない。
【００２８】
以上に説明したように、本実施形態のＯＬＥＤ表示パネル１００によると、ＯＬＥＤ表示パネル１００の全体が一連の導体（透明導電膜１９及びモジュール筐体２０）によって封止されているので、その内外の電界を遮断する静電シールド効果により、高周波ノイズの遮断はもとより、静電気によって生じる静電界の影響も完全に防止することができる。すなわち、高周波ノイズ及び静電破壊の問題の解決のために対抗基板を用いる必要がなくなる。そのため、ＯＬＥＤ表示パネル１００の構造を、対向基板を備えない薄型且つ少なくとも表面がフレキシブルな構造とすることが可能になるのである。
（実施形態２）
【００２９】
本発明の第２の実施形態は、上述した第１の実施形態と比較して、透明導電膜１９の上に、接着剤層２２を介して偏光板２３を貼り付けたことを特徴とする。接着剤層２２は、従来のＯＬＥＤ表示パネル１００における対向基板との間に充填されていたものと同じく、透明なエポキシ接着剤である。また、偏光板２３は、外光反射防止のために従来用いられていたものと同じ、直線偏光フィルターと円偏光フィルターを備えた光学素子である。当該偏光板２３は、ＯＬＥＤ表示パネル１００をフレキシブルに構成する際には、合成樹脂板から構成することが可能である。
【００３０】
本発明の第２の実施形態におけるその他の構成及び効果は、上述した第１実施形態のものと全く同じであるので、その説明を省略する。
【符号の説明】
【００３１】
１１                        基板
１２                        ＴＦＴ層
１５                        ＯＬＥＤ層
１７                        共通陰極
１８                        封止層
１９                        透明導電膜
２０                        モジュール筐体
１００                        ＯＬＥＤ表示パネル
【図１】
2015011761.tif 000003
【図２】
2015011761.tif 000004
【図３】
2015011761.tif 000005
【図４】
2015011761.tif 000006
【図５】
2015011761.tif 000007